(57)【特許請求の範囲】
【請求項１】
機体の前部に設けられる刈取部（３）と、前記刈取部（３）の横外側で機体の前後方向に沿って配置される分草杆（４３）と、前記分草杆（４３）を刈取部（３）に対して左右方向に揺動自在に軸支する支持杆（４２）とを具備するコンバインにおいて、
前記支持杆（４２）は、弾性部材で構成されており、
前記支持杆（４２）の後端が分草杆（４３）に枢支され、前記支持杆（４２）の前端が前後方向に移動可能となるように位置調整装置（４１）に枢支されており、
前記位置調整装置（４１）を介して、前記支持杆（４２）の前端が前後方向に移動され、その移動量に応じて、前記分草杆（４３）が機体から離間する位置と近接する位置とに変更される構成とした
ことを特徴とするコンバイン。
【請求項２】
請求項１記載のコンバインにおいて、
前記支持杆（４２）は、途中部で前記分草杆（４３）に向かって突出するように曲折され、前記分草杆（４３）と前記刈取部（３）との間に配置されている
ことを特徴とするコンバイン。
【発明の詳細な説明】
【技術分野】
【０００１】
本発明は、刈取部の横外側に分草杆を有するコンバインに関する。
【背景技術】
【０００２】
従来、コンバインを用いて刈取作業を行う際、刈取部による未刈穀稈の巻き込みや、機体側の走行部の、クローラ式走行装置による未刈穀稈の踏み付けを、防止する必要があった。そのため、刈取部の左側方にある未刈穀稈を刈取部や機体から離間する方向に押し出すことができるように、分草杆が刈取部、または刈取部および機体の横外側に設けられていた。そして、この分草杆は、機体に設けられた位置調整装置によって、左右方向（機体の横方向）に水平移動させられて、刈取部や機体に近接する格納位置と、刈取部や機体から離間する張出位置とに変更可能に構成されていた。
【０００３】
このようなコンバインにおいて、例えば、特許文献１のように、分草杆の位置を変更する位置調整装置である駆動装置と、分草杆とを連係する駆動連係機構を連係解除自在に構成したものがある。これでは、張出位置にある分草杆が畦や水路壁等の畦と接触して、所定値以上の外力が加わると、分草杆が駆動装置との連係を解除されて、格納位置側へ移動するようになっている。
【０００４】
しかし、駆動連係機構を、連係解除自在に構成することによって、構造が複雑になり、製造コストが増大するという問題があった。また、駆動連係機構の連係が解除されて分草杆の位置が変更された場合、操縦者が分草杆を所定の位置に復帰させる操作を行う必要があり、操縦者の作業が煩雑になる点で不利であった。
【先行技術文献】
【特許文献】
【０００５】
【特許文献１】特許第３６３３８６１号公報
【発明の概要】
【発明が解決しようとする課題】
【０００６】
本発明は係る課題を鑑みてなされたものであり、分草杆の支持構造を簡易な構造としながら、分草杆が畦等と接触した場合に、分草杆を特別な操作を行わずに畦等との接触前の位置に復帰させることができるコンバインの提供を目的とする。
【課題を解決するための手段】
【０００７】
本発明の解決しようとする課題は以上の如くであり、次にこの課題を解決するための手段を説明する。
【０００８】
請求項１においては、機体の前部に設けられる刈取部（３）と、前記刈取部（３）の横外側で機体の前後方向に沿って配置される分草杆（４３）と、前記分草杆（４３）を刈取部（３）に対して左右方向に揺動自在に軸支する支持杆（４２）とを具備するコンバインにおいて、前記支持杆（４２）は、弾性部材で構成されており、前記支持杆（４２）の後端が分草杆（４３）に枢支され、前記支持杆（４２）の前端が前後方向に移動可能となるように位置調整装置（４１）に枢支されており、前記位置調整装置（４１）を介して、前記支持杆（４２）の前端が前後方向に移動され、その移動量に応じて、前記分草杆（４３）が機体から離間する位置と近接する位置とに変更される構成としたものである。
【０００９】
請求項２においては、請求項１記載のコンバインにおいて、前記支持杆（４２）は、途中部で前記分草杆（４３）に向かって突出するように曲折され、前記分草杆（４３）と前記刈取部（３）との間に配置されているものである。
【発明の効果】
【００１０】
本発明の効果として、以下に示すような効果を奏する。
【００１１】
請求項１においては、分草杆は、支持構造を簡易な構造としながら、畦等と接触して機体に近接する方向に押されると、弾性部材である支持杆が弾性変形することによって、その押された方向に移動される。
そして、畦等から離れて機体に近接する方向に押されなくなると、弾性部材である支持杆が弾性変形前の形状に戻ることによって、畦等との接触前の元の位置に復帰する。
【００１２】
その結果、畦等との接触により分草杆の位置が変更されても、操縦者が分草杆を所定の位置に復帰させる操作を行う必要がない。また、分草杆の支持構造を簡易な構造とすることで製造コストを低減することができる。
【００１３】
請求項２においては、請求項１に記載の発明の効果に加えて、支持杆は、より弾性変形しやすくすることができる。
その結果、分草杆は、支持杆を簡易な構造としながら、畦等との接触により分草杆の位置が変更されても、弾性部材である支持杆が弾性変形前の形状に戻るので、操縦者が分草杆を所定の位置に復帰させる操作を行う必要がない。
【００１４】
また、支持杆は、機体から離間する方向に曲折して弾性変形しやすくすることができる。その結果、分草杆は、弾性変形されても曲折部分が機体と接触することがない。
【図面の簡単な説明】
【００１５】
【図１】本発明の一実施形態に係るコンバインの全体構成を示す左側面図。
【図２】同じく平面図。
【図３】本発明の一実施形態に係るコンバインの刈取フレームを示す左側面図。
【図４】本発明の第一実施形態に係るコンバインの分草装置の全体平面図。
【図５】同じく拡大平面図。
【図６】本発明の第一実施形態に係るコンバインの位置調整装置の構成を示す一部分解斜視図。
【図７】本発明の第一実施形態に係るコンバインの位置調整装置の構成を示す一部分解斜視図。
【図８】（ａ）本発明の第一実施形態に係るコンバインの位置調整装置と支持杆との組み付け構成を示す斜視図。（ｂ）本発明の第一実施形態に係るコンバインの支持杆と分草杆との組み付け構成を示す斜視図。
【図９】本発明の第一実施形態に係るコンバインの位置調整装置による分草杆の左右位置を離間位置に変更した場合の状態を示す平面図。
【図１０】本発明の第一実施形態に係るコンバインの位置調整装置による分草杆の左右位置を格納位置に変更した場合の状態を示す平面図。
【図１１】本発明の第一実施形態に係るコンバインの位置調整装置による分草杆の上下位置の調整の様子を示す正面図。
【図１２】本発明の第一実施形態に係るコンバインの分草装置に外力が加わった場合の支持杆が変形する様子を示す平面図。
【図１３】本発明の第二実施形態に係るコンバインの分草装置の拡大平面図。
【図１４】本発明の第二実施形態に係るコンバインの分草装置に外力が加わった場合の支持杆が変形する様子を示す平面図。
【図１５】本発明の別実施形態に係るコンバインの分草装置のアーム形状を示す斜視図。
【図１６】（ａ）本発明の第三実施形態に係るコンバインの位置調整装置と支持杆との組み付け構成を示す斜視図。（ｂ）本発明の第三実施形態に係るコンバインの支持杆と分草杆との組み付け構成を示す斜視図。
【図１７】本発明の第三実施形態に係るコンバインの分草装置の拡大平面図。
【図１８】本発明の第三実施形態に係るコンバインの分草装置に外力が加わった場合の支持杆が変形する様子を示す平面図。
【発明を実施するための形態】
【００１６】
先ず、本発明の一実施形態に係るコンバイン１の全体構成について、図１および図２を用いて説明する。
【００１７】
図１および図２に示すように、コンバイン１には、機体フレーム９に対して、走行部２と、刈取部３と、脱穀部４と、選別部５と、穀粒貯溜部６と、排藁処理部７と、操縦部８等とが備えられる。
【００１８】
走行部２は、機体フレーム９の下部に設けられる。走行部２は、左右一対のクローラを有するクローラ式走行装置２１などを有して、機体をクローラ式走行装置２１により前進または後進方向に走行させることができるように構成される。
【００１９】
刈取部３は、機体フレーム９の前端部（機体の前部）に機体に対して昇降可能に設けられる。刈取部３は、刈取フレーム３０と、分草板３１と、引起装置３２と、切断装置３３と、搬送装置３４と、サイドカバー３５等と有して、圃場の穀稈を分草板３１により分草し、分草後の穀稈を引起装置３２により引き起こし、引起後の穀稈の株元を切断装置３３により切断し、切断後の穀稈を搬送装置３４により脱穀部４側へ搬送することができるように構成される。
【００２０】
なお、刈取部３および機体の左横外側には、分草装置４０が設けられる。この分草装置４０は、詳しくは後述するように、刈取作業時に刈取部３による未刈穀稈の巻き込みを防止したり、機体側の走行部２のクローラ式走行装置２１による未刈穀稈の踏み付けを防止したりすることができるように構成される。
【００２１】
脱穀部４は、機体フレーム９の左側前部であって、刈取部３の後方に設けられる。脱穀部４は、図示せぬ扱胴等とから構成される。脱穀部４は、刈取部３から搬送される穀稈を受け継いで、搬送中の穀稈を前記扱胴等により脱穀し、その脱穀処理物を選別部５へ落下させ、排藁処理部７側へ搬送するように構成される。
【００２２】
選別部５は、機体フレーム９の左側部であって、脱穀部４の下方に設けられる。選別部５は、脱穀部４から落下した処理物を揺動選別装置により揺動選別および風選別により、穀粒と、穂付粒や未脱粒と、排藁と、塵埃等とに選別する。そして、選別部５は、選別した穀粒を穀粒貯溜部６へ搬送し、穂付粒および未脱粒を脱穀部４へ搬送し、排藁および塵埃等を外部へ排出するように構成される。
【００２３】
穀粒貯溜部６は、機体フレーム９の右側後部であって、脱穀部４および選別部５の右側方に設けられる。穀粒貯溜部６は、グレンタンク６１と、穀粒排出装置６２等とから構成される。穀粒貯溜部６は、選別部５から搬送されてくる穀粒をグレンタンク６１に貯溜するとともに、グレンタンク６１に貯溜される穀粒を穀粒排出装置６２により機体の外部へ排出するように構成される。
【００２４】
排藁処理部７は、機体フレーム９の後部であって、脱穀部４の後方に設けられる。排藁処理部７は、排藁搬送装置７１や、排藁切断装置７２等から構成される。排藁処理部７は、脱穀部４からの脱穀済みの穀稈を、排藁として排藁搬送装置７１により受け継いで廃藁として外部へ排出し、又は排藁切断装置７２に搬送して切断した後に機体の外部へ排出するように構成される。
【００２５】
操縦部８は、機体フレーム９の右側前部であって、刈取部３の右側方に設けられる。操縦部８は、操縦席８１と、ステアリングハンドル８２と、キャビン８３等とから構成される。操縦部８は、キャビン８３により操縦席８１や操作具類が覆われるように構成される。
【００２６】
このようにして、コンバイン１は、操縦部８での操作具類の操作によって、図示しないエンジンの動力を各部の装置に伝達して、走行部２にて機体を走行させながら、刈取部３で圃場の穀稈を刈り取り、脱穀部４で刈取部３からの穀稈を脱穀し、選別部５で脱穀部４からの処理物を選別して、穀粒貯溜部６で選別部５からの穀粒を貯溜すると同時に、排藁処理部７で脱穀部４からの排藁を外部へ排出することができるように構成される。
【００２７】
次に、図３を用いて、刈取部３の刈取フレーム３０の構成について説明する。
【００２８】
図３に示すように、刈取フレーム３０は、刈取入力パイプ３０１、縦伝動パイプ３０２、横伝動パイプ３０３、分草フレーム３０４、駆動パイプ３０５、引起縦伝動パイプ３０６、引起横伝動パイプ３０７、引起駆動パイプ３０８、連結フレーム３０９、支持パイプ３１０を具備する。
【００２９】
刈取入力パイプ３０１は、機体フレーム９の前端部に、その軸線方向が左右方向と一致するように配置される。縦伝動パイプ３０２は、刈取入力パイプ３０１の前方に配置され、刈取入力パイプ３０１の左右中途部から前斜下方へ向けて延設される。横伝動パイプ３０３は、縦伝動パイプ３０２の前方に配置され、縦伝動パイプ３０２の先端部から左右方向へ延設される。
【００３０】
複数の分草フレーム３０４・３０４・・・は、横伝動パイプ３０３の前方に配置され、左右方向に適宜の間隔をとって互いに平行に並設される。駆動パイプ３０５は、横伝動パイプ３０３の前斜下方に配置され、最外側に位置する左右の分草フレーム３０４・３０４の間に左右方向に水平に横設される。つまり、駆動パイプ３０５は、横伝動パイプ３０３と前後方向に所定間隔をとって互いに平行に並設される。
【００３１】
引起縦伝動パイプ３０６は、横伝動パイプ３０３の上方に配置され、横伝動パイプ３０３の左端部から前斜上方へ向けて立設される。引起横伝動パイプ３０７は、横伝動パイプ３０３の前上方に配置され、引起縦伝動パイプ３０６の上端部に右方向に水平に横設される。
【００３２】
複数の引起駆動パイプ３０８・３０８・・・は、引起横伝動パイプ３０７の下方に配置され、引起横伝動パイプ３０７の左右中途部から左右方向に所定間隔ごとに下方へ向けて延設される。また、連結フレーム３０９は、引起横伝動パイプ３０７の後方に配置され、引起横伝動パイプ３０７の左右中途部から縦伝動パイプ３０２の後部まで後方へ向けて延設される。
【００３３】
支持パイプ３１０は、引起横伝動パイプ３０７の下方に配置され、引起横伝動パイプ３０７の左右中途部から下方へ向けて延設される。支持パイプ３１０の下端は、左右中央の分草フレーム３０４に連結される。
【００３４】
こうして、刈取フレーム３０は、刈取入力パイプ３０１と、縦伝動パイプ３０２と、横伝動パイプ３０３と、複数の分草フレーム３０４と、駆動パイプ３０５と、引起縦伝動パイプ３０６と、引起横伝動パイプ３０７と、複数の引起駆動パイプ３０８と、連結フレーム３０９と、支持パイプ３１０とを一体的に連結して構成される。
【００３５】
次に、図４から図８を用いて、分草装置４０の構成について説明する。
【００３６】
分草装置４０は、コンバイン１による刈取作業時に、刈取部３の一側方、即ち左側方にある未刈穀稈を刈取部３や走行部２のクローラ式走行装置２１から離間する方向に押し出して、刈取部３による未刈穀稈の巻き込みや、機体側の走行部２のクローラ式走行装置２１による未刈穀稈の踏み付けを防止するためのものである。図４に示すように、分草装置４０は、刈取部３と機体フレーム９との左横外側に設けられる。分草装置４０は、位置調整装置４１、支持杆４２、分草杆４３を具備する。
【００３７】
位置調整装置４１は、分草杆４３の位置を調整するものである。位置調整装置４１は、引起縦伝動パイプ３０６の左側方であってサイドカバー３５の右側方、つまり引起縦伝動パイプ３０６とサイドカバー３５との間に配置される。図５に示すように、位置調整装置４１は、支持プレート４１１、支持アーム４１２、ベースプレート４１３、ネジユニット４１４、駆動モータ４１５、ガイドローラ４１６を具備する。
【００３８】
図６に示すように、支持プレート４１１は、一つの角部を切り欠いた略矩形状の板材から形成される部材である。支持プレート４１１は、その一側の板面が引起縦伝動パイプ３０６の外周面と対向するように、引起縦伝動パイプ３０６の後方に配置される。支持プレート４１１の左側には、揺動用貫通孔４１１ａが支持プレート４１１を前後方向に貫通するように形成される。また、支持プレート４１１の揺動用貫通孔４１１ａよりも上側には、調整用長孔４１１ｂが支持プレート４１１を前後方向に貫通するように形成される。調整用長孔４１１ｂは、その長手方向が左右方向となるように形成され、かつ長手部分が揺動用貫通孔４１１ａを中心とする同心円の円弧と一致するように湾曲した形状に形成される。
【００３９】
支持アーム４１２は、丸棒状部材を略Ｌ字状に屈曲して形成される部材である。支持アーム４１２は、引起縦伝動パイプ３０６を前後に挟んで支持プレート４１１と対向するように、引起縦伝動パイプ３０６の前方に配置される。支持アーム４１２の一側、即ち後側端部には、二つの貫通孔が前後方向に形成された略矩形状の板材４１２ｂが左右方向に延伸した状態で固設される。支持アーム４１２の他側、即ち前側端部には、揺動用貫通孔４１２ａが前後方向に形成された略矩形状の板材４１２ｃが左右方向に延伸した状態で固設される。ここで、板材４１２ｂと板材４１２ｃとは、互いの板面が略平行となるように配置される。
【００４０】
ベースプレート４１３は、略矩形状の板材を略Ｕ字状に折り曲げて形成される部材である。ベースプレート４１３は、左側部と当該左側部に連続する左前後両側部とを有し、右側に開放するように引起縦伝動パイプ３０６の左側方に配置される。ベースプレート４１３の後側部では、その下側に揺動用貫通孔４１３ａが前後方向に貫通するように形成され、その上下方向略中央部よりも右側に貫通孔４１３ｂが前後方向に貫通するように形成される。ベースプレート４１３の前側部には、その揺動用貫通孔４１３ａと対向する位置に、揺動用貫通孔４１３ｃが前後方向に貫通するように形成される。ベースプレート４１３の左側部では、その前後両端側に上下一対の貫通孔４１３ｄがそれぞれ形成され、その略中央部に矩形状の貫通孔４１３ｅが左右方向に貫通するように形成される。
【００４１】
ベースプレート４１３の後側部の左側端には、略五角形状の板材から形成されるモータブラケット４１３ｆが板面をベースプレート４１３の後側部と平行にして左側へ突出するように固設されている。モータブラケット４１３ｆの左側端部と上下両端部とには、貫通孔４１３ｇがそれぞれ前後方向に貫通するように形成される。モータブラケット４１３ｆの略中央部には、中空円筒状のボス部材４１３ｈが当該モータブラケット４１３ｆを貫通した状態で固設される。
【００４２】
ベースプレート４１３の左側部の引起縦伝動パイプ３０６側には、略矩形状の板材を略Ｌ字状に折り曲げて形成される上下一対のガイド４１３ｊが、それぞれ一の折り曲げ面をベースプレート４１３の左側部に当接させ、他の折り曲げ面を引起縦伝動パイプ３０６側へ突出させた状態で固設される。上下一対のガイド４１３ｊは、長手方向を前後方向として、それぞれ貫通孔４１３ｅの上外縁部と下外縁部とに沿って配置される。つまり、上下一対のガイド４１３ｊは、他の折り曲げ面同士が対向するように、貫通孔４１３ｅを挟んで上下に並置される。
【００４３】
図７に示すように、ネジユニット４１４は、ネジ軸４１４ａと螺合される移動ナット４１４ｃをネジ軸４１４ａの回動によりネジ軸４１４ａの軸方向に移動させるものである。ネジユニット４１４は、ネジ軸４１４ａ、移動ナット４１４ｃ、前後一対の軸受部材４１４ｅを具備する。ネジユニット４１４では、移動ナット４１４ｃが螺合されたネジ軸４１４ａは、軸方向を前後方向として、その前後両端で前後一対の軸受部材４１４ｅによって回動自在、かつ前後方向移動不能に軸支される。ネジユニット４１４は、ベースプレート４１３の左側部の左側方に、ネジ軸４１４ａの一側端がベースプレート４１３の後側部に近接し、ネジ軸４１４ａの他側端がベースプレート４１３の前側部に近接するように配置される。
【００４４】
ネジ軸４１４ａは、外周部にネジ溝が形成される丸棒状部材である。ネジ軸４１４ａの後端部には、スリット４１４ｂが形成される。
【００４５】
移動ナット４１４ｃは、軸心部にネジ孔を貫通して形成される略円筒状の部材である。移動ナット４１４ｃの前後略中央部で左右両側には、一対のネジ孔４１４ｄが左右方向に貫通するように形成される。一対のネジ孔４１４ｄは、ネジ軸４１４ａを挟んで左右に並置される。
【００４６】
各軸受部材４１４ｅは、略直方体のブロック材の上下中途部に形成した突出部にベアリング等の軸受をそれぞれ具備して構成される部材である。各軸受部材４１４ｅの突出部を挟んだ上下両側のつば部には、貫通孔４１４ｆがそれぞれ左右方向に貫通するように形成される。
【００４７】
駆動モータ４１５は、ネジ軸４１４ａを回動させるものである。駆動モータ４１５は、駆動モータ４１５の本体に加え、連結軸４１５ｃ、軸受４１５ｆを具備する。駆動モータ４１５は、モータブラケット４１３ｆの後方に、駆動モータ４１５の出力軸がネジ軸４１４ａと平行になるように配置される。駆動モータ４１５の本体には、四つの取付ネジ孔４１５ａが形成されている。駆動モータ４１５の出力軸の端部に歯車４１５ｂが固設されて、この出力軸が歯車４１５ｂを介して一側端部に歯車４１５ｄが形成される連結軸４１５ｃと連動連結される。連結軸４１５ｃの他側端部には、ネジ軸４１４ａのスリット４１４ｂと係合可能な係合面４１５ｅが形成される。連結軸４１５ｃは、軸心がネジ軸４１４ａの軸心と一致するように、モータブラケット４１３ｆの後方に配置され、軸受４１５ｆにより回動自在に支持される。
【００４８】
ガイドローラ４１６は、移動ナット４１４ｃがネジ軸４１４ａ回りに回動することを防止するものである。ガイドローラ４１６では、支持軸４１６ａにローラ４１６ｂが回動自在に支持される。ガイドローラ４１６は、支持軸４１６ａの軸方向を移動ナット４１４ｃの螺進方向に対して直交するように左右方向として、移動ナット４１４ｃの右側方に配置される。
【００４９】
図５に示すように、支持杆４２は、分草杆４３を支持するものである。支持杆４２は、アーム４２１、第一支持部材４２２、第二支持部材４２３を具備する。支持杆４２は、引起縦伝動パイプ３０６の左側方、つまり刈取部３の左側方に配置される。
【００５０】
アーム４２１は、板ばねで構成され、左側方（分草杆４３側方）に向かって膨出するように湾曲して形成される弾性部材である。アーム４２１は、膨出側である一側を左側方に向け、移動ナット４１４ｃの左側方に配置される。図８（ａ）に示すように、アーム４２１の他側端部には、その一部が屈曲されて、軸支可能な軸支部４２１ａが一体的に成形される。図８（ｂ）に示すように、アーム４２１の一側端部には、二つの貫通孔４２１ｂがアーム４２１の延伸方向に並んで略左右方向に貫通するように形成される。なお、アーム４２１を構成する部材は、本実施形態においては板ばねとしているが、これに特に限定するものではなく、分草杆４３を支持可能な弾性部材であればよい。
【００５１】
第一支持部材４２２は、略矩形状の板材を略Ｕ字状に折り曲げて形成される支持ブラケット４２２ａと、支持軸４２２ｂ等とから構成される。支持ブラケット４２２ａは、右側部と当該右側部に連続する上下両側部を有し、左側を開放するように移動ナット４１４ｃの左側方に配置される。支持ブラケット４２２ａの上下両側部の略中央部には貫通孔４２２ｃ・４２２ｄがそれぞれ上下方向に貫通するように形成される。支持ブラケット４２２ａの右側部の略中央部には、貫通孔４２２ｅが左右方向に貫通するように形成される。支持軸４２２ｂの一側端部につば部が貫通孔４２２ｃ・４２２ｄの内径より大きい外径を有するように形成され、他側端部に止め輪用溝が形成される。
【００５２】
第二支持部材４２３は、略直方体のブロック材の一部を略Ｕ字状に加工して形成され、上側部４２３ｄ、横側部４２３ｅ、下側部４２３ｆを有する。横側部４２３ｅは、アーム４２１の一側端部と対向して配置される。横側部４２３ｅの略中央部には、二つのネジ孔４２３ｃがアーム４２１の延伸方向に並んで左右方向に貫通するように形成される。上側部４２３ｄが横側部４２３ｅの上部から左側方に延設され、その略中央部に貫通孔４２３ａが上下方向に貫通するように形成される。下側部４２３ｆが横側部４２３ｅの下部から左側方に延設され、その略中央部に貫通孔４２３ｂが貫通孔４２３ａと対向して上下方向に貫通するように形成される。
【００５３】
分草杆４３は、未刈穀稈を刈取部３および機体から離間する方向に押し出すためのものである。図４に示すように、分草杆４３は、前分草杆４３１、後分草杆４３２を具備する。分草杆４３は、刈取部３および機体の左側方であって、これらに対して支持杆４２よりも左側方に配置される。なお、本実施形態において、分草杆４３は、前分草杆４３１と後分草杆４３２とから構成されるものに限定されるものではなく、前分草杆４３１のみから構成されるものであってもよい。
【００５４】
前分草杆４３１は、パイプ状部材から形成される部材である。前分草杆４３１は、主に刈取部３の左横外側で、支持杆４２の左側方を通って分草板３１の近傍から後方に向かって延伸するように配置される。前分草杆４３１の一側端（前端）は、刈取部３の分草板３１の近傍に水平回動自在、かつ軸方向を前後方向とする軸周りに回動自在に軸支される。前分草杆４３１の他側端（後端）には、上下方向の貫通孔４３１ａが形成された略矩形状の板部が前分草杆４３１の延伸方向に沿って形成される（図８（ｂ）参照）。
【００５５】
後分草杆４３２は、パイプ状部材から形成される部材である。後分草杆４３２は、前分草杆４３１の他側端から後方に向かって延伸するように配置される。後分草杆４３２の一側端（前端）には、上下方向の貫通孔４３２ａが形成された略矩形状の板材が後分草杆４３２の延伸方向に沿って固設される（図８（ｂ）参照）。後分草杆４３２の他側端には、リング状部材４３２ｃが形成される。後分草杆４３２の他側端（後端）は、機体フレーム９の左側部で前後方向に延設される分草杆ガイド４３２ｄに、リング状部材４３２ｃを介して前後方向摺動自在に掛止される。
【００５６】
以下では、図６から図８を用いて、分草装置４０の組み付け方法について説明する。
【００５７】
図６に示すように、支持プレート４１１は、板面を前方に向けて引起縦伝動パイプ３０６の後側にスペーサー４１１ｃを介してボルト等により取り付けられる。支持アーム４１２は、揺動用貫通穴４１２ａの中心が支持プレート４１１の揺動用貫通孔４１１ａの中心と一致するように、引起縦伝動パイプ３０６の前側にボルト等により取り付けられる。
【００５８】
支持プレート４１１とベースプレート４１３の後側部とが前後に一部重複した状態で配置されて、ボルト４４１がベースプレート４１３の後側方から平座金４４２、スペーサー４４３、揺動用貫通孔４１３ａ、および揺動用貫通孔４１１ａに、順に挿通されたあと、締結具であるナット４４４と螺合される。また、支持アーム４１２の板材４１２ｃとベースプレート４１３の前側部とが後前に一部重複した状態で配置されて、ボルト４４１が支持アーム４１２の前側方から平座金４４２、スペーサー４４３、揺動用貫通孔４１３ｃ、および揺動用貫通孔４１２ａに、順に挿通されたあと、締結具であるナット４４４と螺合される。こうして、ベースプレート４１３が支持プレート４１１および支持アーム４１２に締結される。
【００５９】
ここで、スペーサー４４３の外径は、揺動用貫通孔４１３ａおよび揺動用貫通孔４１３ｃの内径より小さく、揺動用貫通孔４１１ａおよび揺動用貫通孔４１２ａの内径より大きく設定される。また、スペーサー４４３の軸方向長さは、ベースプレート４１３の板厚より大きく設定される。よって、スペーサー４４３は、ボルト４４１と揺動用貫通孔４１３ａとの間に配置された状態でナット４４４の締結力を受けるため、ベースプレート４１３にナット４４４の締結力が加わることがない。
【００６０】
そして、ボルト４４５が支持プレート４１１の前側方から調整用長孔４１１ｂ、貫通孔４１３ｂ、平座金４４６、圧縮バネ４４７、および平座金４４６に、順に挿通されたあと、締結具であるナット４４８と螺合される。
【００６１】
このような構成において、ベースプレート４１３は、ボルト４４１をそれぞれ揺動軸として、支持プレート４１１と支持アーム４１２とに当該揺動軸回りに揺動自在に支持される。また、ベースプレート４１３は、圧縮バネ４４７によって常時支持プレート４１１に向かって付勢される。そのため、ベースプレート４１３の後側部が支持プレート４１１の他側板面に圧接されて、摩擦による抗力が発生する。これにより、ベースプレート４１３は、その揺動角度を保持することができるとともに、摩擦による抗力以上の外力が加わることによって、調整用長孔４１１ｂの長手方向幅内で任意に調整することができるようになっている。
【００６２】
図７に示すように、ネジユニット４１４の各軸受部材４１４ｅとベースプレート４１３の左側部とが左右に重複した状態で配置されて、ボルト４４９がベースプレート４１３の左側方から平座金４５０、貫通孔４１４ｆ、および貫通孔４１３ｄに、それぞれ順に挿通されたあと、締結具であるナット４５１により締結される。また、ネジユニット４１４のガイドローラ４１６のローラ４１６ｂが、ベースプレート４１３に固設された上下一対のガイド４１３ｊ・４１３ｊのうち上方のガイド４１３ｊに案内されながら転動するように、これらのガイド４１３ｊ・４１３ｊの間に配置される。ガイドローラ４１６の支持軸４１６ａは、ベースプレート４１３の右側から貫通孔４１３ｅに挿通され、移動ナット４１４ｃに形成されたネジ孔４１４ｄと締結される。
【００６３】
モータブラケット４１３ｆと駆動モータ４１５の本体とが前後に重複した状態に配置されて、ボルト４６０（図８参照）が平座金４６１（図８参照）、各貫通孔４１３ｇ、および各スペーサー４５２に、それぞれ順に挿通されたあと、取付ネジ孔４１５ａと締結される。また、軸受４１５ｆは、モータブラケット４１３ｆのボス部材４１３ｈに挿通される。連結軸４１５ｃは、モータブラケット４１３ｆの後側方から軸受４１５ｆに挿通される。つまり、連結軸４１５ｃは、軸受４１５ｆを介してモータブラケット４１３ｆに回動自在に支持される。連結軸４１５ｃの歯車４１５ｄは、駆動モータ４１５の出力軸に固設した歯車４１５ｂと噛合される。連結軸４１５ｃの係合面４１５ｅは、ネジ軸４１４ａのスリット４１４ｂと係合される。
【００６４】
このような構成において、ネジユニット４１４は、ベースプレート４１３に固定される。また、駆動モータ４１５は、操縦部８のキャビン８３に具備される操作具類と配線される。よって、駆動モータ４１５は、キャビン８３内の当該操作具類を介して操作可能に構成されている。駆動モータ４１５の回動力は、連結軸４１５ｃを介してネジユニット４１４のネジ軸４１４ａに伝動され、このネジ軸４１４ａが回動可能とされる。そして、ネジ軸４１４ａが駆動モータ４１５によって回動されることによって、移動ナット４１４ｃが移動し、その位置がネジ軸４１４ａ上の可動範囲内で任意に変更されるようになっている。ネジユニット４１４において、移動ナット４１４ｃに取り付けたアーム４２１または分草杆４３に上下方向の外力が付加されても、ガイドローラ４１６がガイド４１３ｊによって案内されているため、移動ナット４１４ｃがネジ軸４１４ａ回りに回動しなくなる。また、移動ナット４１４ｃの前後方向への移動時には、ガイドローラ４１６が上下一対のガイド４１３ｊ・４１３ｊのうち上方のガイド４１３ｊに案内されながら転動するので摩擦抵抗が小さく、安定してアーム４２１を移動させることができる。
【００６５】
図８に示すように、第一支持部材４２２における支持ブラケット４２２ａの右側部と移動ナット４１４ｃとが左右に重複した状態で配置されて、ボルト４５３が左側方から平座金４５４、貫通孔４２２ｅに、順に挿通されたあと、移動ナット４１４ｃのネジ孔４１４ｄと螺合される。こうして、支持ブラケット４２２ａと移動ナット４１４ｃとが締結される。
【００６６】
アーム４２１の他側端部が第一支持部材４２２における支持ブラケット４２２ａの上下両側部の間に配置されて、支持軸４２２ｂが支持ブラケット４２２ａの貫通孔４２２ｄ、軸支部４２１ａ、および支持ブラケット４２２ａの貫通孔４２２ｃに、順に挿通される。この支持軸４２２ｂの他側端部に、とめ輪４５５が装着される。アーム４２１の一側端部が第二支持部材４２３の右側部に当接されて、ボルト４５６が右側方から平座金４５７、貫通孔４２１ｂに、それぞれ順に挿通されたあと、第二支持部材４２３のネジ孔４２３ｃと螺合される。こうして、アーム４２１の他側端部が第一支持部材４２２と、アーム４２１の一側端部が第二支持部材４２３とそれぞれ締結される。
【００６７】
前分草杆４３１の後端および後分草杆４３２の前端が第二支持部材４２３の上下両側部の間に配置されて、ボルト４５８が上方から貫通孔４２３ａ、前分草杆４３１の貫通孔４３１ａ、後分草杆４３２の貫通孔４３２ａ、および貫通孔４２３ｂに、順に挿通されたあと、締結具であるナット４５９と螺合される。この際、第二支持部材４２３は、第一支持部材４２２よりも後方に配置される。
【００６８】
このような構成において、アーム４２１は、支持軸４２２ｂを揺動軸として第一支持部材４２２に揺動自在に支持される。分草杆４３は、ボルト４５８を揺動軸として前分草杆４３１の後端と後分草杆４３２の前端が第二支持部材４２３に揺動自在に支持される。すなわち、支持杆４２は、後端が分草杆４３に揺動自在に接続され、前端が位置調整装置４１に揺動自在に接続されて、前後方向に移動可能、かつ前後方向に揺動可能とされる。そして、位置調整装置４１により支持杆４２の他側端が前後方向に移動したとき、支持杆４２が前後方向に移動、かつ前後方向に揺動し、その移動量および揺動量に応じて分草杆４３が左右方向に移動するようになっている。
【００６９】
以下では、図９から図１１までを用いて、分草装置４０の位置調節の様子について説明する。
【００７０】
図９に示すように、分草杆４３の左右位置を引起縦伝動パイプ３０６、すなわち刈取部３、および機体フレーム９から離間する位置に変更する場合、操縦部８の操縦者が操作具類を用いて遠隔操作によって駆動モータ４１５を駆動させ、移動ナット４１４ｃをネジユニット４１４の前側から後側に向かって移動させる。これに伴い、支持杆４２は、前端が後方に向かって移動されることによって、図９における矢印のように、支持軸４２２ｂを中心として時計回りに揺動される。すなわち、支持杆４２の後端は、位置調整装置４１により引起縦伝動パイプ３０６から離間する位置に移動される。
【００７１】
前分草杆４３１は、支持杆４２の後端が引起縦伝動パイプ３０６から離間する位置に移動されることで、水平回動自在に軸支される一側端（前端）を揺動中心として時計回りに揺動される。すなわち、前分草杆４３１の後端は、位置調整装置４１により引起縦伝動パイプ３０６から離間する位置に移動される。後分草杆４３２は、前分草杆４３１の後端の移動に伴って、一側端（前端）が引起縦伝動パイプ３０６から離間する位置に移動され、他側端（前端）が分草杆ガイド４３２ｄ上を前側方に向かって移動される。従って、支持杆４２に支持される分草杆４３の左右位置は、引起縦伝動パイプ３０６から離間する位置、すなわち刈取部３、および機体フレーム９（機体）から離間する位置となる張出位置に変更される。
【００７２】
図１０に示すように、分草杆４３の左右位置を引起縦伝動パイプ３０６、すなわち刈取部３、および機体フレーム９に近接する位置に変更する場合、操縦部８の操縦者が操作具類を用いて遠隔操作によって駆動モータ４１５を駆動させ、移動ナット４１４ｃをネジユニット４１４の後側から前側に向かって移動させる。これに伴い、支持杆４２は、前端が前方に向かって移動されることによって、図１０における矢印のように、支持軸４２２ｂを中心として反時計回りに揺動される。すなわち、支持杆４２の後端は、位置調整装置４１により引起縦伝動パイプ３０６に近接する位置に移動される。
【００７３】
前分草杆４３１は、支持杆４２の後端が引起縦伝動パイプ３０６から近接する位置に移動されることで、水平回動自在に軸支される一側端（前端）を揺動中心として反時計回りに揺動される。すなわち、前分草杆４３１の後端は、位置調整装置４１により引起縦伝動パイプ３０６から近接する位置に移動される。後分草杆４３２は、前分草杆４３１の後端の移動に伴って、一側端（前端）が引起縦伝動パイプ３０６から近接する位置に移動され、他側端（前端）が分草杆ガイド４３２ｄ上を後側方に向かって移動される。従って、支持杆４２に支持される分草杆４３の左右位置は、引起縦伝動パイプ３０６に近接する位置、すなわち刈取部３、および機体フレーム９（機体）に近接する位置となる格納位置に変更される。
【００７４】
上記の如く、分草杆４３の左右位置を、位置調整装置４１によって任意に調整することができる。具体的には、分草杆４３の左右位置を、非刈取作業時には格納位置に、刈取作業時には任意の張出量となる張出位置に変更することができる。この際、支持杆４２の前端の前後方向移動量に対する支持杆４２の後端の左右方向移動量は、支持杆４２の揺動半径である支持杆長さＬの１／２乗に略比例する。よって、支持杆長さＬを十分大きく構成することで支持杆４２の後端の左右方向移動量を支持杆４２の前端の前後方向移動量と比べて大きくすることができる。ここで、支持杆４２はその長手方向をどちらかといえば機体の左右方向ではなく前後方向として、刈取部３および機体に沿うように設置されるため、支持杆長さＬを十分大きくした場合でも、支持杆４２の左右方向の設置幅を抑制することができる。これにより、位置調整装置４１を大型化することなく、かつ機体フレーム９の左右内方向に設置空間を設ける必要がなく、分草杆４３の左右方向移動量を十分に確保することができる。
【００７５】
図１１に示すように、分草杆４３の上下位置を調整する場合、分草杆４３、もしくは支持杆４２に上方向、もしくは下方向に外力を加える。この際、支持プレート４１１とベースプレート４１３との間に発生している摩擦による抗力よりも大きい外力を加えることで支持プレート４１１に対してベースプレート４１３を揺動させる。これにより、支持プレート４１１に対するベースプレート４１３の揺動位置を調整用長孔４１１ｂの長手方向幅内で任意に調整することができる。例えば、ベースプレート４１３のボルト４４５が、調整用長孔４１１ｂの左側端部に挿通されている位置にすることにより、分草杆４３の上下位置を最下位置に調整することができる。
【００７６】
上記の如く、分草杆４３、もしくは支持杆４２に上方向、もしくは下方向に外力を加えてベースプレート４１３の揺動位置を任意の位置に変更することで、未刈穀稈の長さが変わった場合など必要に応じて、分草杆４３の左右位置をほとんど変更することなく、分草杆４３の上下位置を任意に調整することができる。すなわち、分草杆４３の上下位置に関係なく、分草杆４３の左右位置を任意の位置に変更することができる。
【００７７】
図１２に示すように、このように構成される分草装置４０においては、分草杆４３が引起縦伝動パイプ３０６から離間する位置、すなわち刈取部３、および機体フレーム９から離間する張出位置にある場合に、分草杆４３は、畦や水路壁等に接触して引起縦伝動パイプ３０６のある右方向に押されると、支持杆４２のアーム４２１が弾性変形することによって、引起縦伝動パイプ３０６のある右方向（格納位置側）に移動する。この際、分草杆４３は、支持杆４２のアーム４２１の膨出部分と接触することによって機体に近接し難くなる。この結果、分草杆４３の移動量は、所定の範囲内に規制される。よって、分草杆４３は、アーム４２１の一部と分草杆４３とが接触した状態で、機体がさらに左方向に移動した場合には、サイドカバー３５や機体フレーム９等が畦に接触することを防止するバンパーとしての役目を果たすことになる。また、支持杆４２は、分草杆側に向けて膨出するように位置調整装置４１の左側方に配置されるので、アーム４２１の膨出部分が弾性変形して機体に接触することがない。分草杆４３が畦等から離間して押されなくなると、分草杆４３は、支持杆４２のアーム４２１が弾性変形前の形状に戻ることによって、元の左右位置に復帰する。これにより、分草装置４０は、別途緩衝機構や復帰機構を設けることなく分草杆４３や位置調整装置４１の破損を防止することができる。
【００７８】
次に、図１３、および図１４を用いて、第二実施形態に係るコンバインにおける分草装置４０の構成について説明する。なお、以下の実施形態において、前述の実施形態と同様の点に関しては同一符号を付してその具体的説明を省略し、相違する部分を中心に説明する。
【００７９】
支持杆４２は、分草杆４３を支持するものである。支持杆４２は、主としてアーム５２１、第一支持部材４２２、第二支持部材４２３を具備する。
【００８０】
アーム５２１は、板ばねで構成され、左側方（分草杆４３側方）に向かって突出するように屈曲して形成される弾性部材である。図１３に示すように、アーム５２１は、屈曲部分の突出側を左側に向け、位置調整装置４１の移動ナット４１４ｃの左側方に配置される。なお、本実施形態において、アームを構成する部材は板ばねに限定するものではなく、分草杆４３を支持可能な弾性部材であればよい。
【００８１】
図１４に示すように、このように構成される分草装置４０においては、分草杆４３が引起縦伝動パイプ３０６から離間する位置、すなわち刈取部３、および機体フレーム９から離間する張出位置にある場合に、分草杆４３は、畦等に接触して引起縦伝動パイプ３０６のある右方向に押されると、支持杆４２のアーム５２１が弾性変形することによって、引起縦伝動パイプ３０６のある右方向（格納位置側）に移動する。この際、分草杆４３は、支持杆４２のアーム５２１の突出部分と接触することによって機体に近接し難くなる。この結果、分草杆４３の移動量は、所定の範囲内に規制される。よって、分草杆４３は、アーム５２１の突出部分と分草杆４３とが接触した状態で、機体がさらに左方向に移動した場合には、サイドカバー３５や機体フレーム９等が畦に接触することを防止するバンパーとしての役目を果たすことになる。また、支持杆４２は、分草杆側に向けて膨出するように位置調整装置４１の左側方に配置されるので、アーム５２１の突出部分が弾性変形して機体に接触することがない。分草杆４３が畦等から離間して押されなくなると、分草杆４３は、支持杆４２のアーム５２１が弾性変形前の形状に戻ることによって、元の左右位置に復帰する。これにより、分草装置４０は、別途緩衝機構や復帰機構をもうけることなく分草杆４３や位置調整装置４１の破損を防止することができる。
【００８２】
以下では、図１５から図１８を用いて、第三実施形態に係るコンバインにおける分草装置４０の構成について説明する。なお、以下の実施形態において、前述の実施形態と同様の点に関しては同一符号を付してその具体的説明を省略し、相違する部分を中心に説明する。
【００８３】
支持杆４２は、分草杆４３を支持するものである。支持杆４２は、主としてアーム６２１、第一支持部材４２２、第二支持部材６２３を具備する。
【００８４】
図１５に示すように、アーム６２１は、パイプ状部材で構成される弾性部材である。アーム６２１は、一側端部が略直角に屈曲されて形成される揺動軸部６２１ａを有する。また、アーム６２１は、他側端部が揺動軸部６２１ａと平行、かつ同一の方向にむけて略直角に屈曲されて形成される揺動軸部６２１ｂを有する。アーム６２１は、略中央部分が揺動軸部６２１ａ、および揺動軸部６２１ｂの軸方向（下方向）と直交する方向（左右方向）に膨出して湾曲されている。アーム６２１は、揺動軸部６２１ａ、および揺動軸部６２１ｂに係止ピン孔６２１ｃが所定の間隔で２箇所、それぞれ形成される。
【００８５】
図１６に示すように、第二支持部材６２３は、略直方体のブロック材の一部を略Ｕ字状に加工して形成され、上側部６２３ｄ、横側部６２３ｅ、下側部６２３ｆを有する。第二支持部材６２３は、上側部６２３ｄが横側部６２３ｅの上部から左側方に延設され、その略中央部に貫通孔６２３ａが上下方向に貫通するように形成される。下側部６２３ｆが横側部６２３ｅの下部から左側方に延設され、その略中央部に貫通孔６２３ｂが貫通孔６２３ａと対向して上下方向に貫通するように形成される。
【００８６】
次に、図１６、および図１７を用いて、分草装置４０の組み付け方法について説明する。
【００８７】
図１６に示すように、アーム６２１は、揺動軸部６２１ａが第一支持部材４２２における支持ブラケット４２２ａの貫通孔４２２ｃ、および貫通孔４２２ｄに、揺動自在に挿通される。アーム６２１は、各係止ピン孔６２１ｃに挿着される図示しない係止ピンによって、第一支持部材４２２に軸方向摺動不能に軸支される。この際、図１７に示すように、アーム６２１は、湾曲部分の膨出側を左側（分草杆側）に向け、位置調整装置４１の移動ナット４１４ｃの左側方に配置される。
【００８８】
また、アーム６２１は、前分草杆４３１の後端および後分草杆４３２の前端が第二支持部材６２３の上下両側部の間に配置された状態で、揺動軸部６２１ｂが上方から第二支持部材６２３における上側部６２３ｄの貫通孔６２３ａ、前分草杆４３１の貫通孔４３１ａ、後分草杆４３２の貫通孔４３２ａ、および第二支持部材６２３における下側部６２３ｆの貫通孔６２３ｂに、揺動自在に挿通される。アーム６２１は、各係止ピン孔６２１ｃに挿着される図示しない係止ピンによって、第二支持部材６２３に軸方向摺動不能に軸支される。この際、第二支持部材６２３は、第一支持部材４２２よりも後方に配置される。
【００８９】
このような構成において、アーム６２１は、揺動軸部６２１ａを揺動軸として第一支持部材４２２に揺動自在に支持される。分草杆４３は、アーム６２１の揺動軸部６２１ｂを揺動軸として前分草杆４３１の後端と後分草杆４３２の前端とが第二支持部材６２３に揺動自在に支持される。すなわち、支持杆４２は、後端が分草杆４３に揺動自在に接続され、前端が位置調整装置４１に揺動自在に接続されて、前後方向に移動可能、かつ前後方向に揺動可能とされる。そして、位置調整装置４１により支持杆４２の前端が前後方向に移動したとき、支持杆４２は、前後方向に移動、かつ前後方向に揺動し、その移動量および揺動量に応じて分草杆４３が左右方向に移動するようになっている。
【００９０】
図１８に示すように、このように構成される分草装置４０においては、分草杆４３が引起縦伝動パイプ３０６から離間する位置、すなわち刈取部３、および機体フレーム９から離間する張出位置にある場合に、分草杆４３は、畦等に接触して引起縦伝動パイプ３０６のある右方向に押されると、支持杆４２のアーム６２１が弾性変形することによって、引起縦伝動パイプ３０６のある右方向（格納位置側）に移動する。この際、分草杆４３は、支持杆４２のアーム５２１の弾性力によって機体に近接し難くなる。この結果、分草杆４３の移動量は、所定の範囲内に規制される。また、支持杆４２は、分草杆側に向けて膨出するように位置調整装置４１の左側方に配置されるので、アーム６２１の膨出部分が弾性変形して機体に接触することがない。分草杆４３が畦等から離間して押されなくなると、分草杆４３は、支持杆４２のアーム６２１が弾性変形前の形状に戻ることによって、元の左右位置に復帰する。これにより、分草装置４０は、別途緩衝機構や復帰機構をもうけることなく分草杆４３や位置調整装置４１の破損を防止することができる。
【００９１】
以上のごとく、本実施形態に係るコンバイン１は、機体フレーム９（機体）の前部に設けられる刈取部３と、刈取部３の横外側に機体フレーム９の前後方向に沿って配置される分草杆４３と、弾性部材で構成され、分草杆４３を刈取部３に対して左右方向に揺動自在に軸支する支持杆４２と、を具備するものである。
【００９２】
このように構成することにより、分草杆４３は、支持構造を簡易な構造としながら、畦等と接触して機体に近接する方向に押されると、弾性部材である支持杆４２が弾性変形することによって、その押された方向に移動する。そして、畦等から離れて機体に近接する方向に押されなくなると、弾性部材である支持杆４２が弾性変形前の形状に戻ることによって、畦等との接触前の元の位置に復帰する。その結果、畦等との接触により分草杆４３の位置が変更されても、操縦者が分草杆４３を所定の位置に復帰させる操作を行う必要がない。また、分草杆４３の支持構造を簡易な構造とすることで製造コストを低減することができる。
【００９３】
また、支持杆４２は、途中部で曲折され、分草杆４３と刈取部３との間に配置されることを特徴とするものである。
【００９４】
このように構成することにより、前述の効果に加えて、支持杆４２は、剛性の高い材料で構成しても弾性変形しやすくすることができる。その結果、分草杆４３は、支持杆４２を簡易、かつ強固な構造としながら、畦等との接触により分草杆４３の位置が変更されても、弾性部材である支持杆４２が弾性変形前の形状に戻るので、操縦者が分草杆４３を所定の位置に復帰させる操作を行う必要がない。
【００９５】
また、支持杆４２は、途中部で分草杆４３に向かって突出するように曲折され、分草杆４３と刈取部３との間に配置されることを特徴とするものである。
【００９６】
このように構成することにより、前述の効果に加えて、支持杆４２は、機体から離間する方向に湾曲、または屈曲して弾性変形しやすくすることができる。その結果、分草杆４３は、弾性変形されても曲折部分が機体と接触することがない。
【符号の説明】
【００９７】
１    コンバイン
３    刈取部
９    機体フレーム
４２    支持杆
４３    分草杆
【図１】
0005437038.tif 000002
【図２】
0005437038.tif 000003
【図３】
0005437038.tif 000004
【図４】
0005437038.tif 000005
【図５】
0005437038.tif 000006
【図６】
0005437038.tif 000007
【図７】
0005437038.tif 000008
【図８】
0005437038.tif 000009
【図９】
0005437038.tif 000010
【図１０】
0005437038.tif 000011
【図１１】
0005437038.tif 000012
【図１２】
0005437038.tif 000013
【図１３】
0005437038.tif 000014
【図１４】
0005437038.tif 000015
【図１５】
0005437038.tif 000016
【図１６】
0005437038.tif 000017
【図１７】
0005437038.tif 000018
【図１８】
0005437038.tif 000019